(57)【特許請求の範囲】
【請求項１】
非導電体である板状の装置本体に、導電性材料から成るセンサー部と、電源部と、警報部または発信部と、制御部を設けた漏水検知装置において、上記センサー部を２組のプラス電極とマイナス電極から構成し、これら２組のプラス電極とマイナス電極を、それぞれ上記板状の装置本体の両側に設け、各電極を、導電性の線材を折り曲げて２本の脚材とこれらの脚材の先端を繋ぐ接地材によりコ字状に形成すると共に、上記脚材の基端を上記装置本体に取り付け固定したことを特徴とする漏水検知装置。
【請求項２】
非導電体である装置本体に、導電性材料から成るセンサー部と、電源部と、警報部または発信部と、制御部を設けて、これら装置本体、センサー部、電源部、警報部または発信部、および制御部を、非導電性材料から成る球状ケーシング内に収容すると共に、該球状ケーシングの内側に重錘を設置するか又はこの付近のケーシング部分を重くし、上記センサー部のプラス電極とマイナス電極を上記球状ケーシング部分の付近の表面に位置せしめたことを特徴とする漏水検知装置。
【請求項３】
上記球状ケーシングを密閉型とすることを特徴とする請求項２に記載の漏水検知装置。
【請求項４】
非導電体である装置本体に、導電性材料から成るセンサー部と、電源部と、警報部または発信部と、制御部を設けて、これら装置本体、センサー部、電源部、警報部または発信部、および制御部を、非導電性材料から成る楕円状ケーシング内に収容すると共に、上記センサー部を２組のプラス電極とマイナス電極から構成し、これら２組のプラス電極とマイナス電極を上記楕円状ケーシングの両側の扁平部分表面にそれぞれ位置せしめたことを特徴とする漏水検知装置。
【請求項５】
上記装置本体またはケーシングに回収紐を取り付けたことを特徴とする請求項１ないし４のいずれかの項に記載の漏水検知装置。
【発明の詳細な説明】
【０００１】
【発明の属する技術分野】
本発明は、漏水検知装置、特に集合住宅の台所や洗面所などの水を使用する箇所付近の床下等に設置される漏水検知装置に関する。
【０００２】
【従来の技術】
従来の漏水検知装置としては、例えば、実開平６−３５９３９号公報に開示されているように、電源乾電池と、警報ブザーと、電流増幅回路と、陽極感知板と、陰極感知板と、をケース本体に一体的に設け、電気洗濯機や便所の水タンクなどの漏れ水発生の危険性のある床上に設置する目的のものがあった。
【０００３】
【発明が解決しようとする課題】
しかしながら、上記従来の漏水検知装置は、漏水が進行すると装置が水没して機能停止する虞れがあり、床下に設置するタイプとしては使用できないばかりでなく、手の届かない床下奥部への取り付け・取り出しができない等の問題点があった。
【０００４】
本発明は、上記従来の問題点を解決するためになされたもので、その目的とするところは、少なくとも警報部や電源部や制御部の水没を防止して、機能が停止することなく警報を発信し続けることができ、また、床下等の手の届かない箇所にも容易に設置したり取り出すことができる漏水検知装置を提供することにある。
【０００５】
【課題を解決するための手段】
本発明の漏水検知装置は、非導電体である板状の装置本体に、導電性材料から成るセンサー部と、電源部と、警報部または発信部と、制御部を設けた漏水検知装置において、上記センサー部を２組のプラス電極とマイナス電極から構成し、これら２組のプラス電極とマイナス電極を、それぞれ上記板状の装置本体の両側に設け、各電極を、導電性の線材を折り曲げて２本の脚材とこれらの脚材の先端を繋ぐ接地材によりコ字状に形成すると共に、上記脚材の基端を上記装置本体に取り付け固定したことを特徴とする。また、非導電体である装置本体に、導電性材料から成るセンサー部と、電源部と、警報部または発信部と、制御部を設けて、これら装置本体、センサー部、電源部、警報部または発信部、および制御部を、非導電性材料から成る球状ケーシング内に収容すると共に、該球状ケーシングの内側に重錘を設置するか又はこの付近のケーシング部分を重くし、上記センサー部のプラス電極とマイナス電極を上記球状ケーシング部分の付近の表面に位置せしめたことを特徴とする。さらに、上記球状ケーシングを密閉型とすることを特徴とする。更にまた、非導電体である装置本体に、導電性材料から成るセンサー部と、電源部と、警報部または発信部と、制御部を設けて、これら装置本体、センサー部、電源部、警報部または発信部、および制御部を、非導電性材料から成る楕円状ケーシング内に収容すると共に、上記センサー部を２組のプラス電極とマイナス電極から構成し、これら２組のプラス電極とマイナス電極を上記楕円状ケーシングの両側の扁平部分表面にそれぞれ位置せしめたことを特徴とする。また更に、上記装置本体またはケーシングに回収紐を取り付けたことを特徴とすることを特徴とするものである。
【０００６】
【発明の実施の形態】
以下、本発明の実施の形態について、図面を参照しながら説明する。
図１において、１は装置本体であって、これにセンサー部２と、警報部３と、電源部４と、制御部５と、浮き材６が一体的に設けられている。
【０００７】
上記装置本体１はプラスチック等の非導電体で板状の剛性のものであればいずれでもよい。
【０００８】
上記センサー部２は導電性の材料から成り、２組のプラス電極２ａとマイナス電極２ｂから構成されている。これらプラス電極２ａとマイナス電極２ｂは、それぞれ上記装置本体１の両側（上側および下側）に設けられ、各電極２ａ、２ｂを、導電性の線材を折り曲げて２本の脚材とこれらの脚材の先端を繋ぐ接地材によりコ字状に形成されている。上記脚材の基端は上記装置本体１に取り付け固定される。また、上記接地材は上記板状の装置本体１とほぼ平行に配向されている。これらプラス電極２ａとマイナス電極２ｂは、所望間隔を保って平行に配置されている。
なお、上記実施例では、プラス電極２ａとマイナス電極２ｂをコ字状に形成して、それぞれ装置本体１の両側に設けたが、それぞれ全体として、四角い環状に形成してもよい。
本プラス電極２ａとマイナス電極２ｂの脚材は、上記装置本体１を始めとする各部材が、床面（図２のスラブＳを参照）から所望の高さに位置するように、支持脚の機能を有し、下側に位置するプラス電極２ａとマイナス電極２ｂの接地材はスラブＳに接触し、水漏れが発生するとプラス電極２ａとマイナス電極２ｂ間が電気的に短絡するようになっている。
【０００９】
上記警報部３はブザーなど警報音を発生するものであれば、従来公知のいずれの警報手段を使用してもよい。上記電源部４はボタン電池・乾電池など独立した小型の電源手段であればいずれでもよい。また、該警報部３は、必ずしも装置本体１に搭載する必要はなく、装置本体１には発信部を設けて、有線あるいは無線手段により上記制御部５に連絡するようにしてもよい。この場合、警報は、色を変えたり、標識を動かすなど、視覚的に認識できるようにしてもよい。
【００１０】
上記制御部５は、上記センサー部２、電源部４、警報部３の制御回路を構成し、上記両電極２ａ，２ｂ間が漏れ水により短絡すると、上記電源部４からの電力により上記警報部３を働かせて警報を発生せしめるようになっている。
【００１１】
上記浮き材６は、上記装置本体１の下部に設けられ、上記警報部３，電源部４および制御部５等が水没するのを防止する。該浮き材６の材質、形状、取り付け位置は、上記部材３、４、５の水没を防止する目的を有するものであればいずれでもよい。
【００１２】
本実施例の漏水検知装置は、以上のように構成されているので、図２に示すように、床下のスラブＳ上に漏水が発生してその漏れ水Ｗによりセンサー部２のプラス電極２ａとマイナス電極２ｂ間が電気的に短絡して、本装置のスイッチが入ると、上記警報部３から警報音が発生する。上記警報音に気付いた場合には、漏水を止めると共に、警報音を解除する。
【００１３】
上記警報音に気付かないで漏水が進行し、漏れ水Ｗの水位が高くなると、上記浮き材６により装置本体１等が浮いて水没が防止され、警報音は依然として鳴り続ける。
【００１４】
図３は、本発明の漏水検知装置の別の実施例を示すもので、上記装置本体１、警報部３、電源部４、制御部５を球状ケーシング７内に収容すると共に、上記センサー部２の先端部を該ケーシング７の表面に位置せしめている。
【００１５】
上記センサー部２のプラス電極２ａおよびマイナス電極２ｂは出来るだけ近づけて位置せしめ、この位置のケーシング７内側に重錘８を設置するか、またはこの付近のケーシング７部分を重くする。従って、本実施例の装置は、上記球状ケーシング７を転がすことにより、手の届かない床下奥部にも容易に設置することができ、しかも、上記重錘８によりセンサー部２をスラブＳに確実に向けておくことができる。なお、上記ケーシング７に回収紐９を結び付けておいて、装置を引き出して回収できるようにすると良い。
【００１６】
上記球状ケーシング７は、例えばメッシュ構造などの開放型となっているので、漏れ水Ｗが内部に侵入し、水位が高くなると装置本体１などが水没する虞がある。水没を防止するために、ケーシング７あるいは装置本体１などに浮き材６を取り付ける。
【００１７】
図４は、本発明の漏水検知装置の更に別の実施例を示すもので、上記球状ケーシング７を密閉型の浮き構造として、漏れ水Ｗの侵入を防止するようになっている。従って、本実施例では浮き材６を省略することができる。なお、球状ケーシング７の上半球部分を上記開放型構造としても、水没を免れる効果はある。少なくともケーシング７の頂部には穴をあけて、内部にある警報部３からの警告音が外部に漏れ出るようにしてもよい。本実施例においても、上記回収紐９を取り付けるのが好ましい。
【００１８】
図５（ａ）は、本発明の漏水検知装置の更にまた別の実施例を示すもので、ケーシングを楕円状ケーシング１０となし、その２箇所の扁平部１０ａにセンサー部２を配置する。本実施例では、上記重錘８を設けなくても、上記センサー部２を床面上に常に位置せしめることができる。
【００１９】
図５（Ｂ）は、ケーシングを扁平角型ケーシング１１とした別の実施例であり、安定して設置しておくことができる。
【００２０】
図６は、センサー部自体をケーシング構造とした実施例を示すもので、センサー部１２は、環状のプラス電極１２ａとマイナス電極１２ｂから構成されている。各電極１２ａ、１２ｂは非導電材からなる繋ぎ材１３により連結されていて、全体として球体状のケーシングを構成している。従って、手の届かない所にも転がして設置することができ、しかも、いかなる姿勢でも、所望の水位に達したらプラス電極１２ａとマイナス電極１２ｂが感知するようになっている。１４は装置本体であり、これに警報部・電源部・制御部（図示せず）等が搭載されている。
【００２１】
なお、本発明装置の設置場所としては、上記床下に限らず、例えば、雨漏りが予想される屋根裏、工場などの機械等の水回り、目の届かない床上など、漏水が予想される建物内であればいずれの箇所に設置してもよい。
【００２２】
【発明の効果】
１）  非導電体である板状の装置本体に、導電性材料から成るセンサー部と、電源部と、警報部または発信部と、制御部を設けた漏水検知装置において、上記センサー部を２組のプラス電極とマイナス電極から構成し、これら２組のプラス電極とマイナス電極を、それぞれ上記板状の装置本体の両側に設け、各電極を、導電性の線材を折り曲げて２本の脚材とこれらの脚材の先端を繋ぐ接地材によりコ字状に形成すると共に、上記脚材の基端を上記装置本体に取り付け固定したので、床下等の手の届かない箇所にも投げ込んでも、各電極の横材が床面に確実に接地する。
２）  非導電体である装置本体に、導電性材料から成るセンサー部と、電源部と、警報部または発信部と、制御部を設けて、これら装置本体、センサー部、電源部、警報部または発信部、および制御部を、非導電性材料から成る球状ケーシング内に収容すると共に、該球状ケーシングの内側に重錘を設置するか又はこの付近のケーシング部分を重くし、上記センサー部のプラス電極とマイナス電極を上記球状ケーシング部分の付近の表面に位置せしめたので、床下等の手の届かない箇所にも転がして確実に設置させることができ、センサー部の先端部が床面に確実に接地する。
３）  上記球状ケーシングを密閉型とすることにより、装置の水没を効果的に防止することができる。
４）  非導電体である装置本体に、導電性材料から成るセンサー部と、電源部と、警報部または発信部と、制御部を設けて、これら装置本体、センサー部、電源部、警報部または発信部、および制御部を、非導電性材料から成る楕円状ケーシング内に収容すると共に、上記センサー部を２組のプラス電極とマイナス電極から構成し、これら２組のプラス電極とマイナス電極を上記楕円状ケーシングの両側の扁平部分表面にそれぞれ位置せしめたので、床下等の手の届かない箇所にも投げ込んでも、装置を安定して設置させ、電極を確実に床面に接地させることができる。
５）  上記装置本体またはケーシングに回収紐を取り付けたので、手の届かないところから、装置を確実に取り出し、回収することができる。
【図面の簡単な説明】
【図１】  本発明の漏水検知装置の一実施例を示す斜視図である。
【図２】  図１の実施例の作用説明図である。
【図３】  本発明の漏水検知装置の別の実施例を示す構成図である。
【図４】  本発明の漏水検知装置の別の実施例を示す構成図である。
【図５】  本発明の漏水検知装置の更に別の実施例を示す構成図（Ａ）（Ｂ）である。
【図６】  本発明の漏水検知装置の更にまた別の実施例を示す構成図である。
【符号の説明】
１  装置本体
２  センサー部
２ａ  プラス電極
２ｂ  マイナス電極
３  警報部
４  電源部
５  制御部
６  浮き材
７  球状ケーシング
８  重錘
９  回収紐
１０  楕円状ケーシング
１０ａ  扁平部
１１  扁平角型ケーシング
Ｓ  スラブ
Ｗ  漏れ水
【図１】
0004218020.tif 000002
【図２】
0004218020.tif 000003
【図３】
0004218020.tif 000004
【図４】
0004218020.tif 000005
【図５】
0004218020.tif 000006
【図６】
0004218020.tif 000007